(57)【要約】【課題】  函体とそれに収納可能に設けた板状部材とから構成されるユニットにおいて、函体内部の部品配置の自由度を上げる。【解決手段】  内部に少なくとも１枚の板状部材をスライドして収納可能な函体であり、収納状態では前記板状部材が函体上面に対して一定角度をなして収納され、板状部材を函体より引き出した状態では板状部材が函体上面に対して平行となるようにした。【選択図】  図３
2005212907.tif 000002
【特許請求の範囲】
【請求項１】
内部に少なくとも１枚の板状部材をスライドして収納可能な函体であり、収納状態では前記板状部材が函体上面に対して一定角度をなして収納され、板状部材を函体より引き出した状態では板状部材が函体上面に対して平行となるように構成された函体と板状部材。
【請求項２】
請求項１に記載の函体と板状部材の構成において、函体内部に板状部材の側面方向に突出した２本の円筒形状をその２本の中心を結んだ直線が函体上面に対して平行になるように設け、板状部材の側面に板状部材のスライド時に前記円筒形状が入り込むような溝形状を設け、溝形状は板状部材のスライド方向における両端部で前記円筒形状外径に対してかん合するかん合部を形成するとともに、板状部材の概ね中央部において前記円筒形状外径より十分に大きな空間により前記かん合部が接続されている板状部材により構成されている函体と板状部材。
【請求項３】
請求項２に記載の函体と板状部材の構成において、函体上面の裏側に板状部材の収納過程において板状部材のスライド角度を変化させるような案内部材を設けたことを特徴とする函体と板状部材。
【請求項４】
請求項３に記載の函体と板状部材の構成において、前記案内部材は板状部材の収納過程において、函体の円筒形状部が板状部材の前記溝形状の概ね中央部に配置された函体の円筒形状に対して十分に大きな空間部分にかかった後、板状部材に当接して板状部材の角度を変化させるように設けられていることを特徴とする函体と板状部材。
【請求項５】
内部に少なくとも２枚の板状部材をスライドして収納可能な函体であり、複数枚の板状部材のうち一方が函体とかん合し、収納時には同板状部材が函体上面に対して一定角度をなして収納され、同板状部材を函体より引き出した状態では函体上面に対して同板状部材が平行となるように、また他方の板状部材は前記板状部材上面に対して平行にスライドして収納可能に設けた構成において、全ての板状部材を函体に収納した状態でそれぞれの板状部材を独立して引き出し可能なようにそれぞれの板状部材に手がかり部を設けるとともに、その手掛かり部を函体外面に露出せしめる切り欠き形状を函体に設けたことを特徴する函体と板状部材。
【請求項６】
請求項５に記載の函体とそれに収納される板状部材とを、本体内部に搬送される用紙を積載するトレイとして使用した記録装置。
【請求項７】
請求項５に記載の函体とそれに収納される板状部材とを、印刷が終了し本体内部から排出された用紙を積載するトレイとして使用した記録装置。
【発明の詳細な説明】
【技術分野】
【０００１】
本発明は複数の板状部材とそれを収納する函体との構成に関し、更にはそれらを使用した記録装置に関するものである。
【背景技術】
【０００２】
従来、インクジェットプリンタ等の記録装置では、印刷が完了した用紙を積載するための排紙トレイが設けられている。その一部は用紙の長さに応じて伸長可能なサブトレイと、そのサブトレイを収納する排紙トレイ本体とから構成されている。サブトレイは収納先である排紙トレイ本体の上面、用紙が積載される面と平行にスライドして出し入れされる。サブトレイを引き出した状態では前記用紙の積載面が概ね平面部となり用紙排出方向に伸長して長尺の用紙の積載を可能としている（例えば特許文献１参照）。
【特許文献１】特開２００３−０５４０６９号（図２、段落〔００４０〕）
【発明の開示】
【発明が解決しようとする課題】
【０００３】
しかしながら上記従来技術では、排紙トレイ本体に収納されるサブトレイを排紙トレイ上面に平行にスライドして出し入れしているため、排紙トレイ本体上面内側に他の部品を配置することが困難であった。部品を配置する場合には、サブトレイの長さを短くしてその後方に配置するか、サブトレイを部品高さ分だけ排紙トレイ本体上面から離して配置する等の回避手段が必要とされていた。前者ではサブトレイを引き出した際の長さが短くなってしまうため、必要とする長さを確保するためには多段式のサブトレイとする必要があり、部品点数の増加によるコストアップの一因となっていた。また後者では、排紙トレイ本体の厚さをサブトレイのスライド領域全域において厚くする必要があり、装置全体の大きさにも影響することとなっていた。
【０００４】
また上記従来技術では、排紙トレイ本体から引き出したサブトレイの角度は排紙トレイ本体上面と平行であり、用紙種類等に応じてトレイ角度を変更しようとした場合には、サブトレイを収納している排紙トレイ本体自体の角度を変更する必要があった。この操作においてはサブトレイを引き出す、排紙トレイ本体の角度を変える、という２段階の操作が必要となり、手順の煩雑化を招いていた。
【０００５】
そこで本発明はこのような課題を解決し、函体とそれに収納可能に設けた板状部材とから構成されるユニットにおいて、函体内部の部品配置の自由度を上げることを目的として考案されたものである。
【０００６】
またこのように函体とそれに収納可能に設けた板状部材とを、用紙の積載トレイとして使用する場合においては、用紙種類等に応じて積載面の角度を少ない手順で容易に変えられるような構成を提供することを目的として考案されたものである。
【課題を解決するための手段】
【０００７】
上記第一の課題を解決するための本発明の構成は、内部に少なくとも１枚の板状部材をスライドして収納可能な函体であり、収納状態では前記板状部材が函体上面に対して一定角度をなして収納され、板状部材を函体より引き出した状態では板状部材が函体上面に対して平行となるようにしたことによるものである。
【０００８】
このような構成を達成するにあたり、函体内部に板状部材の側面方向に突出した２本の円筒形状をその２本の中心を結んだ直線が函体上面に対して平行になるように設け、板状部材の側面に板状部材のスライド時に前記円筒形状が入り込むような溝形状を設け、溝形状は板状部材のスライド方向における両端部で前記円筒形状外径に対してかん合するかん合部を形成するとともに、板状部材の概ね中央部において前記円筒形状外径より十分に大きな空間により前記かん合部が接続されているように形成したことによるものである。
【０００９】
また上記第二の課題を解決するための構成としては、内部に少なくとも２枚の板状部材をスライドして収納可能な函体であり、複数枚の板状部材のうち一方が函体とかん合し、収納時には同板状部材が函体上面に対して一定角度をなして収納され、同板状部材を函体より引き出した状態では函体上面に対して同板状部材が平行となるように、また他方の板状部材は前記板状部材上面に対して平行にスライドして収納可能に設けた構成において、全ての板状部材を函体に収納した状態でそれぞれの板状部材を独立して引き出し可能なようにそれぞれの板状部材に手がかり部を設けるとともに、その手掛かり部を函体外面に露出せしめる切り欠き形状を函体に設けたことによるものである。
【発明の効果】
【００１０】
本発明によれば、函体内にスライドして収納可能な板状部材の収納角度を函体上面に対して一定角度をなし、また函体より引き出した状態では板状部材が歯固体上面に平行になるようにしたことにより、板状部材に長さを短くすることや板状部材の点数を増加させることなく、函体内のスペース効率を向上させることが可能となる。
【００１１】
また本発明による函体と板状部材とをスライド式の排紙トレイとして使用した場合、少ない動作で排紙トレイ表面の角度を変化させることが可能となる。
【発明を実施するための最良の形態】
【００１２】
（第１の実施の形態）
本発明による第１の実施の形態について説明する。
【００１３】
図１および図２は本発明による函体と板状部材とからなるユニットを、印刷が終了した用紙を積載する排紙トレイとして使用したプリンタを示す斜視図である。図１はカバー類（後述）を閉じた非使用状態を、また図２はカバー類を開いて印刷可能とした使用状態をそれぞれ示している。
【００１４】
プリンタ本体１は下ケース２、上ケース３、アクセスカバー４、給紙カバーユニット１００、排紙トレイユニット２００、操作部３００といった外装部材から構成されていて、プリンタ本体１内部には図示しない印刷機構が内蔵されている。給紙カバーユニット１００はその一端部を中心として上ケース３に対して回転自在に設けられている。また排紙トレイユニット２００もその一端部を中心として下ケース２に対して回転自在に設けられ、図１に示す状態ではプリンタ本体１に対してロックされている。これらカバー類を閉じた非使用状態においては後述する給紙開口部、排紙開口部等が覆われているため、プリンタ本体１内部への埃や異物の侵入を防止している。
【００１５】
図２に示すように給紙カバーユニット１００、排紙カバーユニット２００を開いた状態では、給紙開口部５および排紙開口部９が露出する。給紙カバーユニット１００はプリンタ本体１に回転可能で外観部を覆う給紙カバー１０１とそれに回転可能に設けられた給紙トレイ１０２、給紙トレイ１０２にスライドして収納されるような給紙補助トレイ１０３とから構成されている。給紙トレイ１０２、給紙補助トレイ１０３は用紙８の長さに応じて、回転またはスライドさせて図２に示す使用状態とすることで、用紙８の支持長さを三段階に拡大することができ、様々な長さの用紙８に対して確実な積載を可能としている。給紙開口部５には用紙８を積載する圧板６が給紙ベース７に回転可能に組み込まれており、給紙ローラ（図示せず）によって一枚ずつ分離した後、プリンタ本体１内部の印刷機構（図示せず）へと搬送が行われる。
【００１６】
印刷機構により印刷された用紙８は排紙開口部９からプリンタ本体１の外部へ搬出され、排紙トレイユニット２００上に順次積載される。排紙トレイユニット２００は下ケース２に回転可能な函体を形成する排紙トレイケース２０１と排紙トレイカバー２０２、さらにこの函体内にスライドして収納される排紙補助トレイ２０３、２０４、２０５とから構成されている。ここで排紙補助トレイ２０３は排紙トレイケース２０１と排紙トレイカバーとから成る函体に対して、排紙補助トレイ２０４は排紙補助トレイ２０３に対して、また排紙補助トレイ２０５は排紙補助トレイ２０４に対して、それぞれスライド可能に設けられている。これら排紙補助トレイ２０３〜２０５も前述の給紙部同様、用紙８の長さに応じてスライドさせて引き出すことにより、用紙８の支持長さを四段階に拡大することができ、様々な長さの用紙８に対して確実な積載を可能としている。これら排紙補助トレイ２０３、２０４、２０５は引き出した状態においてその上面が排紙トレイカバー２０２の上面と概ね平行になるように形成されている。
【００１７】
アクセスカバー４はその一端部を中心として上ケース３に対して回転自在に設けられ、その回転によってプリンタ本体１の上面に設けられた開口部（図示せず）を開閉できるようになっている。このアクセスカバー４を開くことにより、プリンタ本体１内部に収納されている記録ヘッドやインクタンク（以上、図示せず）等の交換が可能となる。
【００１８】
操作部３００には電源キー３０１、レジュームキー３０２が押下可能に設けられ、プリンタ本体１内に配置された操作基板（図示せず）上のスイッチの入力が可能となっている。同様に操作基板上に設けられたＬＥＤ（発光ダイオード）の光を導き、拡散させるためのライトガイド３０３が設けられている。このＬＥＤは点灯、点滅により、プリンタ本体１の様々な状態をユーザーに対して知らせる表示機能を備えている。
【００１９】
図３はプリンタ本体１、特に排紙部についての側断面図である。プリンタ本体１内の印刷機構により印刷された用紙８は、排紙ローラ９とそれに付勢された拍車１０に挟持され、排紙開口部６から排紙トレイユニット２００上へと搬出される。ここでは排紙トレイユニット２００に排紙補助トレイ２０３、２０４、２０５が収納された状態を示している。図に示すように排紙補助トレイ２０３の下方に排紙補助トレイ２０４が、その排紙補助トレイ２０４の下方に排紙補助トレイ２０５がそれぞれスライドして収納されている。このような構成にすることにより、排紙補助トレイ２０３、２０４、２０５を全て引き出した状態では、用紙８の進行方向に対して用紙積載面は低くなることとなり、用紙８の突き当たり等による搬送エラーを防止することが可能となっている。排紙トレイユニット２００は水平面から角度αをもって用紙搬出方向（先端側）に持ち上がるように設計されている。これは積載された用紙８が先端側に落下しないようにとの配慮からであり、後述する構成によって排紙補助トレイ２０３、２０４、２０５全てが引き出された状態ではこれら排紙補助トレイも同じ角度αをなすように設計されている。排紙トレイユニット２００内部には前述したプリンタ本体１に対する回転軸１１が貫通するように設けられている。また排紙トレイカバー２０２の内面２０２ａ部には各種メディアに対応したローラ部材２１１が配置されている。排紙補助トレイ２０３、２０４、２０５はこれら内部部品を逃げるように、排紙トレイカバー２０２の内面２０２ａに対して角度βをもって収納されている。
【００２０】
図４は排紙トレイカバー２０２、排紙補助トレイ２０３についての分解斜視図で、排紙トレイカバー２０２の裏面と排紙補助トレイ２０３の表面をそれぞれ示している。図中の矢印２０６は、排紙トレイカバー２０２に対して排紙補助トレイ２０３がスライドする方向である。排紙トレイカバー２０２の内面２０２ａには矢印２０６に平行にリブ２０２ｂが設けられており、その側面より排紙補助トレイ２０３に向かってボス２０２ｃ、２０２ｄが一定の距離をおき、かつ内面２０２ａに平行に配置されている（これらは左右対称位置に配置されている）。このボス２０２ｃ、２０２ｄは排紙補助トレイ２０３の両側面に設けられた溝部２０３ｂと嵌合するようになっている。この溝部２０３ｂは排紙補助トレイ２０３の中央部付近において、その巾が広がるように形成されている（後述する）。
【００２１】
また同内面２０２ａには矢印２０６に平行にリブ２０２ｅ、２０２ｆが矢印２０６方向に同一線上になるように配置されている。排紙補助トレイ２０３の上面２０３ａには溝２０３ｃが、排紙トレイカバー２０２のリブ２０２ｅ、２０２ｆと嵌合する位置に設けられている。また排紙補助トレイ２０３の溝２０３ｃの内部には突起２０３ｄが設けられていて、排紙補助トレイ２０３が排紙トレイカバー２０２に収納された状態ではリブ２０２ｅに設けられた突起形状と係合してロックを行い、また排紙補助トレイ２０３が引き出された状態ではリブ２０２ｆと係合し、排紙補助トレイ２０３の抜け止めとなる。
【００２２】
排紙補助トレイ２０３の上面２０３ａの中央手前には凹形状２０３ｅが、また排紙トレイカバー２０２には排紙補助トレイ２０３が収納された状態でこの凹形状２０３ｅが露出するように切り欠き形状２０２ｇが設けられている。これは排紙補助トレイ２０３を排紙トレイケース２０１と排紙トレイカバー２０２とからなる函体から引き出す手掛かり形状として設けられている。
【００２３】
図５は排紙補助トレイ２０３と排紙補助トレイ２０４についての分解斜視図で、排紙補助トレイ２０３の裏面と排紙補助トレイ２０４の表面をそれぞれ示している。図中の矢印２１２は、排紙補助トレイ２０３に対して排紙補助トレイ２０４がスライドする方向である。排紙補助トレイ２０３の内面２０３ｆには排紙補助トレイ２０４に向かってリブ２０３ｇが内面２０３ｆに平行に設けられている。これらは排紙補助トレイ２０４の側面２０４ａに設けられた溝部２０４ｂと嵌合して、排紙補助トレイ２０４のしゅう動ガイドとなるものである。
【００２４】
また同内面２０３ａには矢印２１２に平行にリブ２０３ｈ、２０３ｉが矢印２１２向に同一線上になるように配置されている。排紙補助トレイ２０４の上面２０４ｃには溝２０４ｄが、排紙補助トレイ２０３のリブ２０３ｈ、２０３ｉと嵌合する位置に設けられている。また排紙補助トレイ２０４の溝２０４ｄの内部には突起２０４ｅが設けられていて、排紙補助トレイ２０４が排紙補助トレイ２０３に収納された状態ではリブ２０３ｈに設けられた突起形状と係合してロックを行い、また排紙補助トレイ２０４が引き出された状態ではリブ２０３ｉと係合し、排紙補助トレイ２０４の抜け止めとなる。
【００２５】
この排紙補助トレイ２０３と排紙補助トレイ２０４との関係は、そのまま排紙補助トレイ２０４と排紙補助トレイ２０５との関係に同じであるため、ここでは説明を割愛する。
【００２６】
図６は排紙トレイカバー２０２に対する排紙補助トレイ２０３の引き出し、収納時の動きを示した側断面図である。図６（Ａ）が排紙補助トレイ２０３を最大引き出した状態を示し、図６（Ｂ）（Ｃ）は順番に収納に至る過程を、そして図６（Ｄ）が収納した状態をそれぞれ示している。
【００２７】
まず図６（Ａ）においては、排紙補助トレイ２０３の側面に設けられた溝部２０３ｂのうち、後端側が排紙トレイカバー２０２のボス２０２ｃ、２０２ｄと嵌合する。この状態は使用状態であり、排紙補助トレイ２０３には用紙が積載されるが、ガタがあると姿勢が安定せず、確実な用紙保持が達成できない。そのため、排紙補助トレイ２０３の後端側の溝部２０３ｂは排紙トレイカバー２０２のボス２０２ｃ、２０２ｄの外径に対してわずかに大きな巾２０３ｆをもって形成されている。
【００２８】
図６（Ｂ）では矢印２０７方向へ排紙補助トレイ２０３を収納する過程において、排紙補助トレイ２０３の側面に設けられた溝部２０３ｂは、排紙トレイカバー２０２のボス２０２ｃ、２０２ｄ両方ともが排紙補助トレイ２０３の溝部２０３ｂの巾広くなっている部分２０３ｇに抜けるようになる。そのため排紙補助トレイ２０３は図における上下方向で自由に動ける状態となるが、排紙補助トレイ２０３の先端側下方が排紙トレイカバー２０２のリブ２０２ｈで支持されているため、先端側は固定され、同部近傍を中心とした矢印２０８方向に排紙補助トレイ２０３が回転可能となる。この巾広くなっている部分２０３ｇは、ちょうど排紙トレイカバー２０２に設けられたリブ２０２ｅの斜面２０２ｉに排紙補助トレイ２０３の後端がかかる直前に排紙トレイカバー２０２のボス２０２ｃ、２０２ｄが抜けるように設定されている。
【００２９】
さらに排紙補助トレイ２０３を押し込むと、図６（Ｃ）に示すように、排紙トレイカバー２０２のリブ２０２ｉの斜面に沿って、排紙補助トレイ２０３が矢印２０８方向へ回転させられ、排紙補助トレイ２０３の押し込み方向に一定の角度βが与えられる。この角度βは排紙補助トレイ２０３の下端を受けている排紙トレイカバー２０２のリブ２０２ｈの角度に等しいため、同リブ２０２ｈの角度設定により決めることが可能である。
【００３０】
図６（Ｄ）に示す排紙補助トレイ２０３の収納状態では、図６（Ｃ）に示した角度βに沿って収納される。排紙補助トレイ２０３の下方は排紙トレイカバー２０２のリブ２０２ｈによって保持され、上方はリブ２０２ｅによって押えられている。また排紙補助トレイ２０３の溝部２０３ｂの先端側２０３ｈは排紙トレイベース２０２の先端側のボス２０２ｄと嵌合するように巾２０３ｈをもって形成されているとともに、壁２０３ｉを形成して排紙補助トレイ２０３がこれ以上奥に入らないためのストッパとなっている。
【００３１】
以上説明した構成をとることにより、排紙トレイカバー２０２と排紙補助トレイ２０３との間に隙間２１０を確保することが可能となり、同部に部品を配置することが可能となる。また排紙トレイカバー２０２の上面に沿って排紙補助トレイ２０３を収納して、同様に部品を配置しようとした場合には、排紙補助トレイ２０３は長さ２０９分しか取れないこととなり、前述したように長い用紙を保持するには排紙補助トレイをさらに多段式にする、または他の方法を考案することとなる。こういった部品点数の増加や、その他複雑な機構を使用することなく、スペースを有効活用することが可能となる。
【００３２】
（第２の実施の形態）
本発明による第２の実施の形態について説明する。
【００３３】
図７は本発明による函体と板状部材とからなるユニットを、印刷が終了した用紙を積載する排紙トレイとして使用したプリンタを示す斜視図である。前述した実施形態と異なる点としては、排紙トレイベース２０１の表面に切り欠き部２０１ａ設けられており、排紙補助トレイ２０５の裏面が露出している点である。この露出した排紙補助トレイ２０５部には手掛かり形状２０５ａが設けられている。前述した実施形態では排紙補助トレイ２０５を引き出すためには、排紙補助トレイ２０３をまず引き出さなくてはならなかったが、この手掛かり形状によって排紙補助トレイ２０３を引き出すことなく、排紙補助トレイ２０５、つまり先端側のトレイだけを引き出すことが可能となっている。その他の構成は前述した実施形態と同じであり、異なる点についてはその都度説明を行ってゆくこととする。
【００３４】
図８は排紙補助トレイ２０３を引き出さずに排紙補助トレイ２０５を引き出した状態における排紙トレイユニット２００の側断面図である。ここで排紙補助トレイ２０３は引き出されていないため排紙トレイカバー２０２の内面２０２ａに対して角度βをもって収納されている。ここから排紙補助トレイ２０５のみを引き出した場合、排紙補助トレイ２０５は排紙補助トレイ２０４に対して平行に引き出されるため、結果として排紙補助トレイ２０３に対しても平行に引き出されることとなる。このため図に示すように、排紙補助トレイ２０５は排紙トレイカバーの内面２０２ａの水平面との角度αとは異なる角度となり、排紙トレイユニット２００の用紙８積載面は途中から角度が変化する形状となる。また排紙補助トレイ２０４については、前述した実施形態において排紙補助トレイ２０５のストッパ形状を有しているため、このまま排紙補助トレイ２０５をさらに引き出そうとした時には、排紙補助トレイ２０５に引っ張られる形で排紙補助トレイ２０４も引き出され、排紙補助トレイ２０３を引き出すことなく、２枚分の長さを確保することが可能となる。これは排紙トレイカバー２０２と排紙補助トレイ２０３とのロック力を排紙補助トレイ２０３と排紙補助トレイ２０４とのロック力より強く設定しておくことにより実現される。
【００３５】
この排紙トレイユニット２００上面の角度を変化させることは、用紙８の同面への着地点の移動を意味している。図９はこの現象についての模式図（側断面方向）である。図９において点線２１３は排紙補助トレイ２０３が引き出され、排紙補助トレイ２０４、２０５はそれぞれ排紙補助トレイ２０３、２０４に収納された状態、排紙補助トレイ２０３が水平面に対して角度αをなしている状態を示している。一方、一点鎖線２１４は排紙補助トレイ２０５だけが引き出され、排紙補助トレイ２０３、２０４は排紙トレイベース２０１、排紙トレイカバー２０２によって形成される函体内に収納された状態、用紙８積載面は前述した通り、また図に示すように途中から角度が変化し、水平面に対して角度βをなしている状態を示している。プリンタ本体１内の印刷機構により印刷され、排紙ローラ９とそれに付勢された拍車１０に挟持されて排紙トレイユニット２００へと搬送された用紙８は、便宜上、自重による垂れ下がりを無視すると、通紙面１２上を搬送される。この時、点線２１３に対しては、下流側の排紙ローラ９からの搬送距離１３で突き当たる（排紙補助トレイ２０３に突き当たる）が、一点鎖線２１４に対してはそれよりも短い搬送距離１４で突き当たる（排紙補助トレイ２０５に突き当たる）こととなる。
【００３６】
例えばコシの強い用紙を印刷した場合には、ある程度は用紙自体のコシによって姿勢を保持し続けるため、早めに排紙トレイに当たってしまうと搬送抵抗となって印刷品位に影響が出る可能性がある。よって、この場合には点線２１３に示す位置に用紙積載面があることが望ましい。逆にコシの弱い用紙の場合には早めに垂れ下がってしまい、その垂れ下がり時の用紙の姿勢変化による印刷品位への影響が懸念される。また用紙自体にコシがないことにより、早めに排紙トレイにあたってしまっても、コシの強い用紙ほど搬送抵抗となることは少ない。よって、この場合には一点鎖線２１４に示す位置に用紙積載面があることが望ましい。
【００３７】
このように本構成によれば、用紙の種類に応じてどちらかの排紙補助トレイを引き出すことにより、排紙トレイの角度を容易に変更できる。
【００３８】
また用紙種類に限らず、印刷するインク量等も用紙のコシに影響があるため、印刷データ、印刷品位に応じた、排紙トレイ角度の容易な変更にも適用可能となる。
【００３９】
また用紙長さの短いもの対しては、一点鎖線２１４に示すように排紙トレイユット２００の先端だけ角度を立てることにより、用紙ストッパとしての機能を付加することも可能となる。
【図面の簡単な説明】
【００４０】
【図１】本発明による第１の実施の形態であるプリンタ本体の非使用状態を示す斜視図である。
【図２】本発明による第１の実施の形態であるプリンタ本体の使用状態を示す斜視図である。
【図３】本発明による第１の実施の形態において、プリンタ本体の排紙部を示す側断面図である。
【図４】本発明による第１の実施の形態において、排紙トレイカバーとそれに嵌合する排紙補助トレイとの構成を示す分解斜視図である。
【図５】本発明による第１の実施の形態において、排紙補助トレイ同士の構成を示す分解斜視図である。
【図６】本発明による第１の実施の形態において、排紙トレイユニットへの排紙補助トレイの収納状態を示す側断面図である。
【図７】本発明による第２の実施の形態であるプリンタ本体を示す斜視図である。
【図８】本発明による第２の実施の形態において、排紙トレイユニットと排紙補助トレイとの関係を示す側断面図である。
【図９】本発明による第２の実施の形態において、排紙補助トレイの引き出し方法の違いによる用紙の挙動の違いを示す模式図である。
【符号の説明】
【００４１】
１  プリンタ本体
２  下ケース
３  上ケース
４  アクセスカバー
５  給紙開口部
８  用紙
９  排紙開口部
１００  給紙トレイユニット
２００  排紙トレイユニット
２０１  排紙トレイベース
２０２  排紙トレイカバー
２０２ｃ、２０２ｄ  ボス
２０２ｅ、２０２ｆ  リブ
２０３、２０４、２０５  排紙補助トレイ
２０３ｂ  溝部
２０５ａ  手掛かり形状
３００  操作部
【図１】
2005212907.tif 000003
【図２】
2005212907.tif 000004
【図３】
2005212907.tif 000005
【図４】
2005212907.tif 000006
【図５】
2005212907.tif 000007
【図６】
2005212907.tif 000008
【図７】
2005212907.tif 000009
【図８】
2005212907.tif 000010
【図９】
2005212907.tif 000011